(57)【要約】【課題】イオンを用いた空気清浄の能力の悪化を抑制することができる空気調和装置を提供する。【解決手段】空気にイオンを含ませて放出する空気調和装置では、上側に空気の流出口１１２があり、イオン放出部を下向きにしてイオン発生器１３を設けてあり、イオン発生器１３の上を覆う保護部材１４を設けてある。流出口１１２から異物が落下しても、イオン放出部が異物で汚れることがない。イオンを含んだ空気が流れる経路は、空気の上流から下流にかけて狭くなっており、流れる空気は徐々に加速する。加速した空気流によって、異物の落下及び異物の詰まりが抑制される。空気調和装置では、異物の落下による不具合が発生し難くなり、イオンを用いた空気清浄の能力の悪化が抑制される。【選択図】図３
2013024484.tif 000002
【特許請求の範囲】
【請求項１】
空気の流入口及び流出口を設けてあり、前記流入口から前記流出口へ空気が通過する経路の途中にイオン発生器を備え、該イオン発生器が発生したイオンを含ませた空気を前記流出口から放出する空気調和装置において、
前記流出口は、前記イオン発生器の上方に開口してあり、
前記イオン発生器は、前記経路を流れる空気へ発生したイオンを放出するイオン放出口を有し、該イオン放出口を下向きに配置してあること
を特徴とする空気調和装置。
【請求項２】
前記流出口よりも下側に、前記イオン発生器の上を覆う板状の保護部材を更に備えることを特徴とする請求項１に記載の空気調和装置。
【請求項３】
前記保護部材は前記イオン発生器に密着してあることを特徴とする請求項２に記載の空気調和装置。
【請求項４】
前記イオン発生器の表面と前記保護部材の端とをつなぐ部材を更に備えることを特徴とする請求項２又は３に記載の空気調和装置。
【請求項５】
前記イオン発生器は、上面に前記流出口を形成してある筐体内に配置してあり、前記筐体の内側面には直接に接触していないこと
を特徴とする請求項１から４までの何れか一つに記載の空気調和装置。
【請求項６】
前記イオン放出口からイオンを放出された空気の経路の少なくとも一部が上流から下流へ向けて狭くなっていること
を特徴とする請求項１から５までの何れか一つに記載の空気調和装置。
【請求項７】
前記流入口から流入した空気の流れを前記イオン放出口へ誘導する部材を更に備えることを特徴とする請求項１から６までの何れか一つに記載の空気調和装置。
【発明の詳細な説明】
【技術分野】
【０００１】
本発明は、イオンを含ませた空気を放出することによって空気調和を行う空気調和装置に関する。
【背景技術】
【０００２】
従来、空気中にイオンを放出することによって空気を清浄化する空気調和装置が用いられている。このような空気調和装置は、正イオンであるＨ+ （Ｈ2 Ｏ）m と負イオンであるＯ2-（Ｈ2 Ｏ）n とを発生するイオン発生器を備え、発生したイオンを空気中に放出する。ここで、ｍ及びｎは任意の自然数である。空気中に放出されたイオンは空気中の菌類、細菌又はウイルス等の周りを取り囲んで付着し、付着の際に反応生成される活性種の水酸化ラジカルの作用により、菌類、細菌又はウイルス等が不活性化する。このような技術は、例えば特許文献１〜３に開示されている。
【０００３】
また、建物の床下に空気調和装置を設置する技術が特許文献４に開示されている。空気調和装置を床下に設置した場合は、空気の流出口が建物の床に設けられることとなる。
【先行技術文献】
【特許文献】
【０００４】
【特許文献１】特開２００３−４７６５１号公報
【特許文献２】特開２００２−３１９４７２号公報
【特許文献３】特開２０１０−０５５９６０号公報
【特許文献４】特開２０１０−２４３０７５号公報
【発明の概要】
【発明が解決しようとする課題】
【０００５】
床下に設置させられる空気調和装置は、上面に流出口が設けられている。流出口には、空気の放出を可能にしながらも流出口から異物が落下することを抑制するための網状の蓋が配置される。しかしながら、この蓋の存在にも関わらず、異物が流出口から落下して空気調和装置の内部へ入りこむ虞がある。例えば、建物の床にこぼれた液体が流出口の縁から装置の内面をつたって入り込むことがある。異物が内部へ入り込んだ場合は、異物によってイオン発生器が十分な量のイオンを発生できなくなるか、又は異物が空気の経路に詰まって空気の流れに支障を来す等、空気調和装置に不具合が発生することがある。このように、床下に設置させられる空気調和装置には、不具合の発生により、十分な量のイオンを空気中に拡散させることができず、空気を清浄化する能力が悪化することがあるという問題がある。
【０００６】
本発明は、斯かる事情に鑑みてなされたものであって、その目的とするところは、異物の落下による不具合の発生を防止することにより、イオンを用いた空気清浄の能力の悪化を抑制することができる空気調和装置を提供することにある。
【課題を解決するための手段】
【０００７】
本発明に係る空気調和装置は、空気の流入口及び流出口を設けてあり、前記流入口から前記流出口へ空気が通過する経路の途中にイオン発生器を備え、該イオン発生器が発生したイオンを含ませた空気を前記流出口から放出する空気調和装置において、前記流出口は、前記イオン発生器の上方に開口してあり、前記イオン発生器は、前記経路を流れる空気へ発生したイオンを放出するイオン放出口を有し、該イオン放出口を下向きに配置してあることを特徴とする。
【０００８】
本発明においては、イオン発生器を備え、イオンを含む空気をイオン発生器の上方の流出口から放出する空気調和装置では、イオン放出口を下向きにしてイオン発生器を配置してある。流出口から異物が落下した場合であっても、イオン放出口に異物が入りこむことが防止される。
【０００９】
本発明に係る空気調和装置は、前記流出口よりも下側に、前記イオン発生器の上を覆う板状の保護部材を更に備えることを特徴とする。
【００１０】
本発明においては、流出口の下側にイオン発生器の上を覆う保護部材を備えておくことにより、流出口から異物が落下した場合であっても、イオン発生器に異物が直接に落下することが防止される。
【００１１】
本発明に係る空気調和装置は、前記保護部材は前記イオン発生器に密着してあることを特徴とする。
【００１２】
本発明においては、保護部材はイオン発生器に密着してあり、流出口から流出すべき空気が保護部材とイオン発生器との間に入りこむことがない。
【００１３】
本発明に係る空気調和装置は、前記イオン発生器の表面と前記保護部材の端とをつなぐ部材を更に備えることを特徴とする。
【００１４】
本発明においては、空気調和装置内にイオン発生器の表面と保護部材の端とをつなぐ部材を備えておくことにより、イオン発生器の表面に沿って流れた空気がスムーズに保護部材の端まで流れる。
【００１５】
本発明に係る空気調和装置は、前記イオン発生器は、上面に前記流出口を形成してある筐体内に配置してあり、前記筐体の内側面には直接に接触していないことを特徴とする。
【００１６】
本発明においては、イオン発生器は筐体内の内側面に直接には接触していないので、筐体の内側面をつたって異物が空気調和装置内に入りこんだとしても、異物はイオン発生器に接触し難い。
【００１７】
本発明に係る空気調和装置は、前記イオン放出口からイオンを放出された空気の経路の少なくとも一部が上流から下流へ向けて狭くなっていることを特徴とする。
【００１８】
本発明においては、イオン放出口から放出されたイオンを含む空気が流れる経路は、空気の上流から下流にかけて連続的に狭くなっており、流れる空気は徐々に加速する。高速の空気流によって、異物の落下及び異物の詰まりが抑制される。
【００１９】
本発明に係る空気調和装置は、前記流入口から流入した空気の流れを前記イオン放出口へ誘導する部材を更に備えることを特徴とする。
【００２０】
本発明においては、空気調和装置は、流入口から流入した空気をイオン放出口へ導く部材を備えておくことにより、流入した空気に効率的にイオンを含ませる。
【発明の効果】
【００２１】
本発明にあっては、空気調和装置は、異物によってイオン発生器が十分な量のイオンを発生できなくなるか、又は異物が空気の経路に詰まって空気の流れに支障を来す等の不具合が発生し難くなる。このため、空気調和装置では、イオンを用いた空気清浄の能力の悪化が抑制される等、本発明は優れた効果を奏する。
【図面の簡単な説明】
【００２２】
【図１】本発明の空気調和装置を建物に設置した状態を示す概略図である。
【図２】空気調和装置の外観を示す模式図である。
【図３】空気調和装置の筐体内の構成を示す模式的斜視図である。
【図４】イオン発生器の模式的斜視図である。
【図５】筐体内の構成を上から見た概略図である。
【図６】制御装置の内部の機能構成を示すブロック図である。
【図７】動作中の空気調和装置の内部を示す模式図である。
【図８】空気調和装置の他の内部構成例を示す模式図である。
【発明を実施するための形態】
【００２３】
以下本発明をその実施の形態を示す図面に基づき具体的に説明する。
図１は、本発明の空気調和装置を建物に設置した状態を示す概略図である。本発明の空気調和装置１は、空気調和システムの一部をなし、建物５の床下に設置される。図１には、建物５を横から見た模式的な断面を示す。空気調和装置１は、上面が床５１の上面とほぼ同一になるように、建物５の床５１よりも下側に設置されている。建物５内には、空気調和装置１の動作を制御するための制御装置２が設置されている。また、建物５内には送風装置３が設置されており、送風装置３と空気調和装置１とはダクト４で連結されている。送風装置３はダクト４へ空気を送り出し、送り出された空気はダクト４内を流れて空気調和装置１へ流入し、空気調和装置１は流入した空気を床５１よりも上側の空間へ放出する。図１中には、空気の流れを矢印で示す。
【００２４】
図２は、空気調和装置１の外観を示す模式図である。空気調和装置１は、直方体形状の筐体１１の上側に、網状構造の蓋部１２が被さった構成となっている。図３は、空気調和装置１の筐体１１内の構成を示す模式的斜視図である。図３中には、筐体１１の外形を二点鎖線で示す。筐体１１の底面には、空気の流入口１１１が形成されている。筐体１１の底面にはダクト４が連結され、ダクト４内を流れてきた空気は流入口１１１から筐体１１内へ流入する。筐体１１の上面には、空気の流出口１１２が形成されている。流入口１１１から筐体１１内へ流入した空気は、流出口１１２から流出する。蓋部１２は、流出口１１２を覆う蓋となっている。空気調和装置１が設置された状態では、蓋部１２の上面は床５１の上面とほぼ同一面となっている。蓋部１２は、網状構造となっているので、流出口１１２から流出する空気を通す一方で、異物が筐体１１内へ落下することを妨げる。
【００２５】
空気調和装置１は、筐体１１内に、二台のイオン発生器１３，１３を備えている。図４は、イオン発生器１３の模式的斜視図である。イオン発生器１３は、直方体状に形成されており、正イオンであるＨ+ （Ｈ2 Ｏ）m と負イオンであるＯ2-（Ｈ2 Ｏ）n とを発生する。イオン発生器１３には、イオン放出面１３１が設けられており、イオン放出面１３１には、開口した負イオン放出口１３２及び正イオン放出口１３３が設けられている。図４には、負イオン放出口１３２及び正イオン放出口１３３が二個ずつ設けられた形態を示す。負イオン放出口１３２と正イオン放出口１３３との間の距離は、負イオン放出口１３２同士の距離及び正イオン放出口１３３同士の距離よりも長くなっている。イオン発生器１３は、内部に放電用の電極を備えており、放電によって負イオン及び正イオンを発生させる。負イオン放出口１３２から空気中へ負イオンが放出され、正イオン放出口１３３から空気中へ正イオンが放出される。なお、イオン発生器１３は、負イオン放出口１３２及び正イオン放出口１３３を一個ずつ設けた形態であってもよく、三個以上ずつ設けた形態であってもよい。
【００２６】
夫々のイオン発生器１３は、筐体１１の長手方向に平行に配置されている。二台のイオン発生器１３，１３は、イオン放出面１３１の裏側の面を向かい合わせにして、筐体１１の内側面に接触せずに、筐体１１内に配置されている。また、夫々のイオン発生器１３は、イオン放出面１３１を下向きに傾けて配置されている。このため、負イオン放出口１３２及び正イオン放出口１３３は、下向きになっている。また、二台のイオン発生器１３，１３のイオン放出面１３１間の水平方向の距離は、下側ほど狭く、上側ほど広くなっている。イオン放出面１３１が下向きになっているので、異物が落下して空気調和装置１の内部へ入りこんだとしても、異物がイオン放出面１３１に直接に落下してくることは無い。このため、負イオン放出口１３２及び正イオン放出口１３３から異物がイオン発生器１３内へ入り込む可能性は低い。また、イオン発生器１３は筐体１１の内側面に接触していないので、筐体１１の内側面をつたって異物が空気調和装置１内に入り込んだとしても、異物はイオン発生器１３に接触し難い。従って、異物がイオン発生器１３内へ入り込んでイオンの発生に支障をきたす可能性は低い。
【００２７】
イオン発生器１３，１３が配置された位置は、流入口１１１から流入した空気が流出口１１２まで通過する経路の途中である。イオン発生器１３，１３は、通過する空気に対してイオンを放出する。イオン放出面１３１が下向きに傾いているので、夫々のイオン放出面１３１と筐体１１の内側面との間の距離は、下から上に向かって連続的に狭くなっている。
【００２８】
イオン発生器１３，１３の上方には、板状の保護部材１４が配置されている。保護部材１４の位置は、流出口１１２の下側になっている。保護部材１４はほぼ水平に配置されており、イオン発生器１３，１３が平面視で露出しないようにイオン発生器１３，１３の上を覆っている。保護部材１４はイオン発生器１３，１３の上に載せることで固定されている。また、保護部材１４の上面の両側端は、保護部材１４の上面と側面とが滑らかに連続するように曲面状に形成されている。保護部材１４の端と筐体１１の内壁との間には、空気の流れる隙間がある。また、保護部材１４の上面と流出口１１２との間には、ある程度の距離がある。イオン発生器１３，１３の上を保護部材１４が覆っているので、異物が流出口１１２から落下したとしても、異物がイオン発生器１３，１３に直接に落下することは無い。
【００２９】
イオン発生器１３，１３のイオン放出面１３１に対向する位置には、筐体１１の内側面から突出した突出部１７，１７が設けられている。突出部１７は、筐体１１の内側面からの突出量が下から上にかけてより大きくなっていく形状に形成された部材であり、イオン放出面１３１に対向する筐体１１の内側面に固定されている。イオン放出面１３１が下向きに傾いており、突出部１７の突出量が上側ほど大きくなっているので、イオン放出面１３１に沿って流れる空気の経路は下から上に向かって徐々に狭くなっている。また突出部１７，１７の上端と流出口１１２との間には、ある程度の距離がある。
【００３０】
保護部材１４はイオン発生器１３，１３の上端に密着しており、更に、夫々のイオン発生器１３と保護部材１４との間を埋める充填部材１５が配置されている。充填部材１５は、イオン発生器１３と保護部材１４との間の隙間に充填され、充填部材１５の表面は、イオン発生器１３のイオン放出面１３１と保護部材１４の側端とを連続的に繋いでいる。保護部材１４はイオン発生器１３の上端に密着しているので、イオン発生面１３１に沿って下から上へ流れてきた空気は、保護部材１４とイオン発生器１３との間には入り込まない。また、充填部材１５の存在によって、空気は、保護部材１４の下側に衝突することなく、充填部材１５の表面に沿って保護部材１４の側端へ誘導される。
【００３１】
イオン発生器１３，１３の下側には、導風部材１６が配置されている。導風部材１６は、三角柱の形状に形成されており、三角柱の軸をイオン発生器１３，１３の長手方向と平行に配置されている。また、導風部材１６は、三角柱の一側面を上に向け、下向きに凸に配置されている。イオン発生器１３，１３の下端は導風部材１６によって覆われており、流入口１１１から流入した空気はイオン発生器１３，１３の間には流れ込めなくなっている。流入口１１１の真上に導風部材１６が配置されており、流入口１１１から流入した空気は導風部材１６に衝突することになる。
【００３２】
図５は、筐体１１内の構成を上から見た概略図である。流出口１１２の中に、保護部材１４及び突出部１７，１７が見え、奥に流入口１１１が見える。イオン発生器１３，１３は保護部材１４で隠されており、流入口１１１の上側に配置されている。また、イオン発生器１３，１３は連結部１３４，１３４で筐体１１の内壁に連結され、筐体１１内の空間に固定されている。連結部１３４，１３４は図３中には図示していない。イオン発生器１３，１３は連結部１３４，１３４を介して電気的な接続が行われている。充填部材１５，１５及び導風部材１６も、図５中では保護部材１４の陰に隠されている。導風部材１６は、イオン発生器１３，１３に連結してぶら下げられているか、又はイオン発生器１３，１３よりも長手方向に伸長してあって筐体１１の内壁に連結されている。
【００３３】
図６は、制御装置２の内部の機能構成を示すブロック図である。制御装置２は、空気調和装置１を制御するための演算を行う演算部及び演算に必要なデータを記憶する記憶部を含んで構成される制御部２１を備える。制御部２１には、使用者からの操作を受け付ける操作ボタンを含んでなる操作部２２が接続されている。また制御部２１には、操作のために必要な情報を表示する表示部２３が接続されている。表示部２３は例えば液晶パネルで構成されている。操作部２２及び表示部２３は、タッチパネルで構成されていてもよい。制御部２１には、商用電源等の外部の電源２０が接続されており、電源２０から制御部２１へ電力が供給される。また、制御部２１は、空気調和装置１のイオン発生器１３，１３に接続されている。イオン発生器１３，１３と制御部２１との間は、連結部１３４，１３４を介して接続が行われている。
【００３４】
操作部２２を使用者が操作することにより、動作開始の指示を操作部２２で受け付けた場合、制御部２１は、イオン発生器１３，１３を動作させる制御を行い、動作中の状態を示す情報を表示部２３に表示させる。停止の指示を操作部２２で受け付けた場合は、制御部２１は、イオン発生器１３，１３を停止させる制御を行う。なお、制御装置２は、内部に電源を備えた形態であってもよい。また、制御部２１は、空気調和装置１内に設けられていてもよい。この形態では、制御装置２内の操作部２２及び表示部２３は、空気調和装置１内の制御部２１に接続されている。
【００３５】
次に、空気調和装置１の動作を説明する。図７は、動作中の空気調和装置１の内部を示す模式図である。図７中には、空気調和装置１の内部を正面から見た図を示し、筐体１１は断面で示している。送風装置３から送り出された空気は、ダクト４を通り、流入口１１１から空気調和装置１の内部へ流入する。流入した空気は、流入口１１１から流出口１１２まで流れる。
【００３６】
流入口１１１から流入した空気は、まず導風部材１６に衝突する。導風部材１６は下向きに凸になっているので、空気が流れる経路は導風部材１６の両脇に分岐する。分岐された夫々の経路の途中には、イオン発生器１３がある。導風部材１６の上側の側面以外の二つの側面の内、一方の側面に沿って流れた空気は、次に、一方のイオン発生器１３のイオン放出面１３１に沿って流れる。導風部材１６の他方の側面に沿って流れた空気は、次に、他方のイオン発生器１３のイオン放出面１３１に沿って流れる。イオン発生器１３，１３は、イオン放出面１３１に沿って流れる空気へイオンを放出する。この結果、イオンを含んだ空気が流出口１１２へ向かって流れる。図７中には、空気の流れを矢印で示し、負イオンを丸に−で示し、正イオンを丸に＋で示す。導風部材１６によって、流入口１１１から流入した空気はイオン発生器１３，１３へ確実に導かれ、空気にイオンが含ませられる。
【００３７】
イオンを含んだ空気は、イオン放出面１３１に沿って上方向に流れ、充填部材１５の表面に沿って流れ、保護部材１４の側端に達する。保護部材１４はイオン発生器１３の上端に密着しているので、空気は保護部材１４とイオン発生器１３との間に入り込むことが無い。また空気は充填部材１５，１５に沿って流れるので、保護部材１４の下面に空気が当たることが無く、保護部材１４の下面で空気が滞留することが無い。このため、イオンを含み、イオン放出面１３１に沿って上方向に流れた空気は、スムーズに保護部材１４の側端まで流れる。保護部材１４の側端に達するまでの空気の経路は、イオン発生器１３，１３と突出部１７，１７との間に挟まれた空間であり、空気の上流から下流に向かって連続的に狭くなる構成となっている。このため、イオンを含んだ空気は、下から上へ流れるに従って徐々に加速する。
【００３８】
イオン発生器１３，１３と突出部１７，１７との間を加速しながら流れてきた空気は、流出口１１２から流出する。このとき、空気の多くは、保護部材１４の両脇から噴き上がり、流出口１１２の内、流出口１１２の縁を含む縁部分１１３から流出する。また、空気の一部は、コアンダ効果によって保護部材１４の側方から保護部材１４の上面に沿って流れ、流出口１１２の内、流出口１１２の中央を含む中央部分１１４から流出する。保護部材１４の上面の両側端は曲面状に形成されているので、コアンダ効果が発生し易く、流れてきた空気は保護部材１４の上側へ容易に回り込む。縁部分１１３から流出する空気は、一旦保護部材１４の上面に沿って流れてから中央部分１１４から流出する空気に比べて、流速がより高速になっている。図７中には、流出口１１２から流出する空気の流速を矢印の長さで示している。
【００３９】
保護部材１４の上面の側端は直角に形成されていてもかまわないが、コアンダ効果が発生し易くなるように図７に示すごとく曲面状に形成されているのが望ましい。また、保護部材１４の上面の側端は、より空気が流れやすくなるように、流線形に形成されていてもよい。また、保護部材１４の上面の側端は、鈍角に形成されていてもよく、複数の鈍角の組み合わせに形成されていてもよく、鈍角及び曲面の組み合わせに形成されていてもよい。
【００４０】
流出口１１２の縁部分１１３からは高速で空気が流出するので、流出口１１２の周囲から異物が空気調和装置１の内部へ落下することが抑制される。流出口１１２の中央部分１１４から流出する空気に含まれるイオンは、縁部分１１３から流出する高速の空気によって周囲から遮断される。このため、中央部分１１４から流出する空気に含まれるイオンは、効率的に建物５内の空間に拡散される。拡散されたイオンは、建物５内の空気を清浄化する。
【００４１】
以上説明したように、本実施の形態に係る空気調和装置１では、流出口１１２の縁部分１１３から高速で流出する空気によって、流出口１１２の周囲から異物が空気調和装置１の内部へ落下することが抑制される。また、異物が空気調和装置１の内部へ落下したとしても、空気は加速しながら上昇するので、異物が空気の経路に詰まって空気の流れが悪化することが起こり難い。また本実施の形態に係る空気調和装置１では、イオン放出器１３，１３の上側に保護部材１４を備えてあるので、異物がイオン放出器１３，１３に直接に落下することは無い。また、イオン放出面１３１を下向きに傾けてあるので、負イオン放出口１３２及び正イオン放出口１３３から異物がイオン発生器１３内へ入り込む可能性は低い。このため、流出口１１２から異物が落下して空気調和装置１の内部へ入りこんだとしても、異物によってイオン発生器１３１に不具合が発生する可能性は低い。また本実施の形態に係るイオン発生器１３は筐体１１の内側面に直接には接触していないので、筐体１１の内側面をつたって異物が空気調和装置１内に入り込んだとしても、異物がイオン発生器１３に接触し難い。従って、本実施の形態においては、異物によってイオン発生器１３が十分な量のイオンを発生できなくなるか、又は異物が空気の経路に詰まって空気の流れに支障を来す等の不具合が発生し難くなる。このため、本実施の形態に係る空気調和装置１では、イオンを用いた空気清浄の能力の悪化が抑制される。
【００４２】
次に、空気調和装置１の他の構成例を説明する。図８は、空気調和装置１の他の内部構成例を示す模式図である。図８には、空気調和装置１の内部を正面から見た図を示し、筐体１１は断面で示している。また、空気の流れを矢印で示す。図８に示した例では、イオン発生器１３，１３の内、一方のイオン発生器１３に対向する内側面に突出部が設けられ、他方のイオン発生器１３に対向する内側面には突出部が設けられていない。一方のイオン発生器１３と突出部１７との間に挟まれた空間を流れ、イオンを放出された空気は、下から上へ加速しながら流れる。他方のイオン発生器１３からイオンを放出された空気は、イオン発生器１３の傾きによって加速はされるものの、より小規模の加速となる。
【００４３】
図８に示す形態では、流出口１１２の内、イオン発生器１３と突出部１７との間を通って加速した空気が流出する部分は、正面視で流出口１１２の片方のみの縁を含んでいる。流出口１１２の内、他方の縁を含む部分からはより低速で空気が流出する。空気調和装置１が床５１の端に配置されている状態では、流出口１１２の縁の内で床５１の端に近い部分から異物が落下する可能性は低い。そこで、流出口１１２の縁の内で小規模な加速で空気が流出する部分が他の部分よりも床５１の端に近くなるように空気調和装置１を配置することにより、流出口１１２の周囲から異物が空気調和装置１の内部へ落下することが抑制される。また、異物が空気調和装置１の内部へ落下したとしても、イオン発生器１３と突出部１７との間を通って加速した空気により、異物が空気の経路に詰まることが抑制される。従って、この形態においても、空気調和装置１では、異物の落下による不具合が発生し難くなり、イオンを用いた空気清浄の能力の悪化が抑制される。
【００４４】
なお、以上の実施の形態においては、突出部１７を備えた形態を示したが、空気調和装置１は突出部１７を備えていない形態であってもよい。突出部１７を備えていない形態であっても、イオン発生器１３のイオン放出面１３１が下向きに傾いていることによって、下から上へ流れる空気は加速し、異物の落下による不具合が発生し難くなる。また、空気調和装置１は、筐体１１の内側面間の距離が下から上へ向かって連続的に狭くなっている形態でもよい。この形態では、突出部１７を備えずとも、イオン発生器１３と筐体１１の内側面との間を通る空気は、下から上へ加速しながら流れる。また、以上の実施の形態においては、イオン発生器１３を二台備えた形態を示したが、空気調和装置１は、イオン発生器１３を一台のみ備えた形態、又はイオン発生器１３を三台以上備えた形態であってもよい。
【００４５】
また、空気調和装置１は、充填部材１５を備えていない形態であってもよい。充填部材１５を備えている形態の方が、イオンを含む空気を流出口１１２から放出する効率が高いものの、充填部材１５を備えていない空気調和装置１であっても、イオンを用いた空気清浄の能力の悪化を抑制することは可能である。また、空気調和装置１は、導風部材１６を備えていない形態であってもよい。導風部材１６を備えている形態の方が、流入口１１１から流入した空気をイオン発生器１３へ導く効率が高いものの、導風部材１６を備えていない空気調和装置１であっても、イオンを用いた空気清浄は可能である。
【００４６】
また、本実施の形態においては、流入口１１１は筐体１１の底面に形成された形態を示したが、空気調和装置１は、筐体１１の側面に流入口１１１が形成された形態であってもよい。また、本実施の形態においては、空気調和装置１の外部に送風装置３がある形態を示したが、空気調和装置１は、ファン等の送風機構を内部に備えた形態であってもよい。また、空気調和装置１は、一部屋に二個以上設置されてあってもよい。
【符号の説明】
【００４７】
１  空気調和装置
１１  筐体
１１１  流入口
１１２  流出口
１１３  縁部分
１１４  中央部分
１２  蓋部
１３  イオン発生器
１３２  負イオン放出口
１３３  正イオン放出口
１４  保護部材
１５  充填部材
１６  導風部材
１７  突出部
２  制御装置
３  送風装置
４  ダクト
【図１】
2013024484.tif 000003
【図２】
2013024484.tif 000004
【図３】
2013024484.tif 000005
【図４】
2013024484.tif 000006
【図５】
2013024484.tif 000007
【図６】
2013024484.tif 000008
【図７】
2013024484.tif 000009
【図８】
2013024484.tif 000010